(57)【特許請求の範囲】
【請求項１】
画像診断装置用寝台装置であって、
被検者を載置する天板と、
この天板に結合されるアタッチメントと、
このアタッチメントを前記天板に結合するための取り付け機構と
を備え、
前記取り付け機構は、
前記天板の先端部に、中空に形成した差込穴を備えるとともに、この差込穴の上面または下面に２つの係合部およびこの係合部の間に形成した切欠を有し、前記アタッチメントの一方の端部側に、前記天板の差込穴に挿入するための接続部と、この接続部から幅の狭い根元部を残して、先端側の幅が広がる形状に切り出して形成されたバネ体と、このバネ体の先端側に一体に設けられ前記天板の差込穴の係合部にそれぞれ係合させる突起とを有することを特徴とする画像診断装置用寝台装置。
【請求項２】
前記アタッチメントの接続部は中空の板状に形成されており、その側壁の厚みを上下面よりも厚く形成したことを特徴とする請求項１記載の画像診断装置用寝台装置。
【発明の詳細な説明】
【技術分野】
【０００１】
本発明は、例えばＸ線ＣＴ装置のような画像診断装置に用いられる寝台装置に係り、この寝台装置の天板に取り付けるヘッドレストなどのアタッチメントの着脱を容易にした取り付け機構を有する画像診断装置用寝台装置に関する。
【背景技術】
【０００２】
例えば、Ｘ線ＣＴ装置や磁気共鳴イメージング装置のような画像診断装置で検査（撮影）を受ける被検者は、寝台装置の天板に寝かされた状態で、当該画像診断装置の撮影部へ位置付けられる。この場合必要に応じて、寝台装置の天板の先端にヘッドレストやアームレストなどのアタッチメントが取り付けられる。ここで、ヘッドレストは、被検者の頭部を撮影する場合に頭部を支持するために使用されるものであり、アームレストは、被検者の上半身を撮影する場合に、被検者の両腕が撮影の妨げにならないように、上腕部を被検者の頭部近傍に支持するために使用されるものである。
【０００３】
天板にヘッドレストやアームレストなどのアタッチメントを取り付ける場合の従来の取り付け機構としては、図６に示すように、天板１の先端部にヘッドレスト３の接続部３ａを差し込むようにしたものが知られている（例えば、特許文献１参照。）。
【０００４】
すなわち、天板１は図示しない寝台装置に載置されており、画像診断装置の架台（図示せず）へ向けて長手方向へ水平に往復移動されるものである。架台側に対向する天板１の先端部には、ヘッドレスト３の接続部３ａを受け入れるための差込穴１ａが穿設されている。さらに、天板１の上面に、差し込まれたヘッドレスト３の接続部３ａを固定するための固定用穴１ｂが間隔を置いて２つ形成されている。そして、この固定用穴１ｂに係合するように、ヘッドレスト３の接続部３ａには、先端に突起を有する１対の固定用板バネ３ｂが設けられ、さらにヘッドレスト３には、接続部３ａに連なるように、被検者の頭部を載置するための載部３ｄが形成されている。
【０００５】
従って、ヘッドレスト３の接続部３ａを天板１の差込穴１ａに差し込むことによって、ヘッドレスト３が天板１に接続され、さらに、固定用板バネ３ｂの先端の突起が固定用穴１ｂにそれぞれ係合することによって、ヘッドレスト３が天板１に固定されるとともに、横方向への回転も防止されるようになっている。なお、ヘッドレスト３を天板１から取り外すときは、両方の固定用板バネ３ｂの先端を、作業者の両手の指先などで下方へ押し下げて、固定用板バネ３ｂの先端と固定用穴１ｂとの係合を解くようにしたまま、ヘッドレスト３を引き抜くようにするものであった。
【特許文献１】特開２００３−１３５４４６号公報
【発明の開示】
【発明が解決しようとする課題】
【０００６】
ところで、ヘッドレスト３を交換したり他のアタッチメントに交換したりする場合には、上述のように先ず現在取り付けられているヘッドレスト３などを天板１から取り外す必要がある。その際の作業は上述のように、先ず両方の固定用板バネ３ｂの先端を、作業者の両手の指先などで下方へ押し下げて、固定用板バネ３ｂの先端と固定用穴１ｂとの係合を解き、次のステップとして、係合を解くようにした状態のままヘッドレスト３を引き抜くようにする必要があった。
【０００７】
この場合の一つの問題は、両手を使わなければならないことと、両手の指先で固定用板バネ３ｂの先端と固定用穴１ｂとの係合を解いた状態のままヘッドレスト３を水平方向へ引き抜くという、２つの動作を同時に実行しなければならないので、殊に手が小さく力の弱い女性技師が作業をするようなときは、かなり煩わしい面倒な作業となるものであった。
【０００８】
二つ目の問題は、ヘッドレスト３を水平方向へ引き抜かなければならないので、そのための作業空間が必要となることである。すなわち、図７に示すように、天板１を有する寝台装置２は、その長手方向の一端側が画像診断装置の架台４に対峙するように設置されている。そして、架台４の前面と寝台装置２上で最も退避した位置にある天板１の先端との間隔は、２５０ｍｍ程度しか取れないのが普通である。これに対して天板１の先端に取り付けられるヘッドレスト３の長さは３００ｍｍ程度あるため、天板１にヘッドレスト３を取り付けたり外したりする際は、天板１の高さ位置を、画像診断装置の架台４に形成されている撮影部４ａの高さに合わせて作業を行わなければならなかった。
【０００９】
すなわち、空洞になっている撮影部４ａの空間を利用して一旦ヘッドレスト３の載部３ｄ側を、架台４の撮影部４ａ側へ侵入させた状態で、ヘッドレスト３の接続部３ａを天板１の差込穴１ａに差し込むようにしなければならなかった。被検者が天板１に載ったり降りたりする場合は、載り降りがし易いように、寝台装置２を低い位置にするのが普通である。そのため、被検者が天板１から降りた後にヘッドレスト３を付け替えようとすると、寝台装置２の低い位置ではヘッドレスト３の先端が架台４と干渉してしまい、その抜き差しができないため、改めて天板１の高さを、架台４の撮影部４ａの高さにまで持ち上げるように寝台装置２を駆動しなければならず、その作業が煩わしくなるものであった。
【００１０】
また、寝台装置２を低い位置に置いてヘッドレスト３の抜き差しをしようとすると、ヘッドレスト３が架台４に当たったり、架台４に傷をつけたりするということにもなるものであった。
【００１１】
本発明は、このような問題を解決するためになされたものである。
【課題を解決するための手段】
【００１２】
上述の課題を解決するため、請求項１に記載の発明は、画像診断装置用寝台装置であって、被検者を載置する天板と、この天板に結合されるアタッチメントと、このアタッチメントを前記天板に結合するための取り付け機構とを備え、前記取り付け機構は、前記天板の先端部に、中空に形成した差込穴を備えるとともに、この差込穴の上面または下面に２つの係合部およびこの係合部の間に形成した切欠を有し、前記アタッチメントの一方の端部側に、前記天板の差込穴に挿入するための接続部と、この接続部から幅の狭い根元部を残して、先端側の幅が広がる形状に切り出して形成されたバネ体と、このバネ体の先端側に一体に設けられ前記天板の差込穴の係合部にそれぞれ係合させる突起とを有することを特徴とする。
【００１６】
また、請求項２に記載の発明は、請求項１記載の画像診断装置用寝台装置において、前記アタッチメントの接続部は中空の板状に形成されており、その側壁の厚みを上下面よりも厚く形成したことを特徴とする。
【発明の効果】
【００１７】
上記課題を解決するための手段の項にも示したとおり、本発明の特許請求の範囲に記載する各請求項の発明によれば、次のような効果を奏する。
【００１８】
請求項１ないし請求項３に記載の発明によれば、突起の間を片方の手の指で押すだけで、係合部と突起との係合を解くことができるので、画像診断装置用寝台装置へアタッチメントを取り付けたり、取り外したりする交換作業を、手が小さく力の弱い作業者でも容易に実施することができる。
【００１９】
請求項４に記載の発明によれば、寝台装置の高さ位置に関わらずどの位置ででも、アタッチメントの交換作業を実施することができる。特に天板の高さを被検者が乗り降りし易い低い位置にした状態で、アタッチメントの交換作業などを行うことができるので、作業者の負担を軽減することができる。
【００２０】
請求項５に記載の発明によれば、アタッチメントの接続部の強度をより高めることができる。
【発明を実施するための最良の形態】
【００２１】
以下、天板にアタッチメントを結合するための取り付け機構を有する本発明に係る画像診断装置用寝台装置の実施例について、図１ないし図５を参照して詳細に説明する。なお、これらの図において、同一部分には同一符号を付して示してある。また、適宜従来例としての図５、図６も参照して説明するものとする。
【実施例１】
【００２２】
図１は、本発明に係る画像診断装置用寝台装置の実施例１を説明するために示した、寝台装置の天板に取り付けられる例えばヘッドレスト３０の平面図である。このヘッドレスト３０は、接続部３１に連なるように被検者の頭部を載置するための載部３２が形成されており、図６および図７を参照して説明したヘッドレスト３と同様の目的で、接続部３１を天板１の先端部の差込穴１ａに差し込むようにして結合されるものである。なお、この差込穴１ａ側の構成は図６および図７に示したものと同様なので、図示を省略してある。
【００２３】
本実施例では、従来のヘッドレスト３の接続部３ａに、１対の固定用板バネ３ｂが設けられていたものを、板バネの形状を工夫することによって１つの板バネ３３にし、この板バネ３３に、天板１の差込穴１ａに間隔を置いて２つ形成されている固定用穴１ｂに係合させるための２つの突起３４１、３４２を形成している。
【００２４】
すなわち、例えばＸ線ＣＴ装置用のヘッドレスト３０は、Ｘ線吸収の少ないカーボンファイバー強化プラスチックス（ＣＦＲＰ）のような材料によって作られているが、さらにＸ線のロスを減じるために、単板ではなく中空の板状のものとなっている。そこで、接続部３１の例えば上面を図１に示すように、端部側に符号３３ａを付した破線で示す部位を残して、載部３２側へ向けて広がるように略三角形状に切り込み、この符号３３ａを付した部位を根元にして幅の広い先端側を若干引き上げて加圧することによって、上向きに少々反り返るようになって弾性力をもった１つの板バネ３３を形成し、さらに、板バネ３３の先端側に所定間隔を置いて例えば球状の突起３４１、３４２を固定したものとなっている。すなわち、板バネ３３は、幅の狭い根元部３３ａを残して、先端側の幅が広がる形状となるように、接続部３１から切り出して形成したものである。
【００２５】
従って、このヘッドレスト３０の接続部３１の先端を、図６、図７に示した天板１の差込穴１ａに差し込み、水平方向へ移動させることによって、板バネ３３に形成された突起３４１、３４２が、差込穴１ａに形成されている２つの固定用穴１ｂにそれぞれ係合され、天板１とヘッドレスト３０が結合される。なお、差込穴１ａの大きさは、例えば幅２００ｍｍ、奥行き１５０ｍｍ程度であり、ここに差し込まれるヘッドレスト３０は、全長が３００ｍｍ、そのうち接続部３１の長さが１５０ｍｍ程度で、突起３４１、３４２は接続部３１と載部３２との境部とから５０ｍｍ程度の位置に形成されている。また突起３４１、３４２は、球状に限らず楔形など適宜の形状のもので良い。
【００２６】
次に、このようにして結合されたヘッドレスト３０を、天板１から取り外す場合の操作について説明する。
【００２７】
すなわち、ヘッドレスト３０を天板１から取り外す場合は、図１に符号３３ｂを付した破線で示してあるように、板バネ３３の先端側に間隔を置いて形成されている突起３４１、３４２の間を、作業者の片方の手の指で押す。これによって、板バネ３３は下方へ押し戻されて突起３４１、３４２も下方へ移動し、差込穴１ａに形成されている固定用穴１ｂとの係合が解かれることになる。よって、作業者の他方の手でヘッドレスト３０を若干引き出し、その後両手でヘッドレスト３０を引き出すことによって、ヘッドレスト３０を天板１から容易に取り外すことができる。
【００２８】
このように、従来は２つの固定用板バネ３ｂの先端を同時に押し下げなければ固定用穴１ｂとの係合を解くことができなかったが、本実施例によれば突起３４１、３４２の間を押し下げることによって、両方の突起３４１、３４２を固定用穴１ｂから外すことができるので、ヘッドレスト３０などの交換作業を極めて容易に実施することができる。なお、押し下げるべき位置を天板１の表面にマーキングしたり、その部分の天板１の表面を切欠したりしておけば良い。また、天板１の差込穴１ａの下面に固定用穴１ｂを設け、これに対応するようにヘッドレスト３０の接続部３１に形成する板バネ３３を、接続部３１の下面に下向きに少々反り返るようにしたものとしても良い。
【００２９】
なお、板バネ３３の根元部３３ａの幅寸法は、広くすればするほど強度が高まるものの、その分バネ力も強くなり、押し下げて両方の突起３４１、３４２を固定用穴１ｂから外すためには大きな力が必要となる。そのため、突起３４１、３４２の形成されている部分を最大幅として、根元部３３ａの幅寸法を従来の固定用板バネ３ｂと同程度の幅になるように、板バネ３３を略三角形状にしてある。ただし、板バネ３３は三角形状に限らずＴ字形状であっても良く、突起３４１、３４２の設けられている部分を連結しながら、適切な力で押し下げることができるように、根元部分が細くなるような形状であれば良い。
【００３０】
次に、本実施例の考え方を踏まえて、突起３４１、３４２の間を押し下げることによって、両方の突起３４１、３４２を固定用穴から外すようにした幾つかの実施態様について、図２ないし図４を参照して説明する。
【００３１】
その１つの実施態様を図２に示してあり、ここで図２（ａ）は、ヘッドレスト３０の接続部３１を拡大して示した平面図、図２（ｂ）は、ヘッドレスト３０の接続部３１が天板１０（図６に示した天板１と同等）の差込穴１１（図６に示した差込穴１ａと同等）に差し込まれた様子を説明するために示した図２（ａ）のＡ−Ａ線に沿った断面図である。
【００３２】
図２（ａ）に示すようにこの実施態様は、接続部３１に形成する板バネ３３として、Ｌ字形の２つの板バネ３３１、３３２を、対向するように略並行に接続部３１から切り出して形成する。なお、符号３１ａ、３１ｂを付した部分は、板バネ３３１、３３２を切り出すために接続部３１を切り欠いた部分を示したものである。そして、各板バネ３３１、３３２の先端部すなわちＬ字形の根元部にそれぞれ突起３４１、３４２が固定される。この突起３４１、３４２は、図２（ｂ）に示す天板１０の差込穴１１に形成されている固定用穴１２（図６に示した固定用穴１ｂと同等）にそれぞれ係合させるためのものである。
【００３３】
さらに、板バネ３３１、３３２の対向する先端部近傍を、例えば接続部３１と同じ材料の連結部材３６で結合する。そして、板バネ３３１、３３２はベースとなる接続部３１を根元にして、弾性力をもつように先端側が若干上向きに反り返るように加工される。従って、板バネ３３１、３３２を結合した連結部材３６は、接続部３１の上方に位置することになる。このように形成された接続部３１を持つヘッドレスト３０を、天板１０の差込穴１１に差し込んだ場合、図２（ｂ）に示すように、接続部３１の突起３４１、３４２がそれぞれ固定用穴１２に係合され、ヘッドレスト３０が天板１０に固定されることになる。
【００３４】
なお、接続部３１を天板１０の差込穴１１に差し込むことによって連結部材３６が位置することになる差込穴１１の表面部分、すなわち、一方の固定用穴１２と他方の固定用穴１２の間には、細長い切欠が形成されていて、接続部３１を差し込んだ場合にはこの切欠を通して連結部材３６が天板１０の表面に露出するようになっている。
【００３５】
そこで、ヘッドレスト３０を天板１０から取り外すときは、差込穴１１表面の細長い切欠を通して天板１０の表面に露出している連結部材３６を、作業者の片方の手の指で押し下げることによって、板バネ３３１、３３２が共に押し下げられので、固定用穴１２と突起３４１、３４２との係合が外れることになり、その状態で他方の手でヘッドレスト３０を天板１０から引き抜くことができる。
【００３６】
ところで、板バネ３３１、３３２の先端部近傍を連結部材３６で接続することに代えて、図３に示すように、連結部材３６に相当する連結部３３３を含むように、接続部３１からコの字形に板バネ３３１、３３２を切り出して１つの板バネ３３を形成するようにしても良い。この場合も連結部３３３を押し下げれば、突起３４１、３４２も下方へ移動し、天板１０の差込穴１１に形成されている固定用穴１２との係合が解かれることになり、片方の手の指での作業が可能となる。なお、連結部３３３が位置することになる差込穴１１の表面部分は、図２に示したものと同様に予め切欠されていて、接続部３１を差し込んだ場合には天板１０の表面に連結部３３３が露出するようになっていることは言うまでもない。
【００３７】
図４は、他の実施態様を示したものである。すなわち、接続部３１に形成する板バネ３３として、Ｌ字形の２つの板バネ３３１、３３２を対向するように略並行に接続部３１から切り出して形成するとともに、各板バネ３３１、３３２の先端部にそれぞれ突起３４１、３４２を固定するのは図２に示したものと同様であるが、この実施態様では、各板バネ３３１、３３２のＬ字形の先端部付近を互いに接近して対向するように屈曲させたところが異なっている。或いは、図３に示した実施態様における連結部３３３を、中間部で微小隙間をおいて切断したような形にしたものである。
【００３８】
従って、図４に符号３３ｃを付した破線で示した、対向する各板バネ３３１、３３２の先端部付近を、作業者の片手の指で押し下げることが可能であり、この部分３３ｃを押し下げれば、突起３４１、３４２も下方へ移動し、天板１０の差込穴１１に形成されている固定用穴１２との係合を解くことができる。
【実施例２】
【００３９】
図５は、本発明に係る画像診断装置用寝台装置の実施例２を説明した平面図であり、図５（ａ）はアタッチメントとしてのヘッドレスト３０を、寝台装置の天板１０に取り付けたり取り外したりする場合の様子を示し、図５（ｂ）は天板１０にヘッドレスト３０が取り付けられて固定されている状態を示したものである。なお、符号４を付して示したものは画像診断装置の架台であり、空洞になっている撮影部４ａを有していることは、図７に示したものと同様である。
【００４０】
この実施例では、図５（ａ）に示すように、ヘッドレスト３０の接続部３１を凸形に形成したものであり、先端側の幅の狭い部分を符号３１１で示し、載部３２側の幅の広い部分を符号３１２で示している。そして、幅の狭い部分３１１と幅の広い部分３１２とは略同じくらいの長さか、幅の狭い部分３１１の方が若干短くなるように形成してある。なお、図示は省略したが、接続部３１の幅の広い部分３１２に、実施例１として説明したのと同様の突起３４１、３４２を有するバネ体３３が形成されている。
【００４１】
一方、天板１０の先端部には、ヘッドレスト３０の接続部３１を受け入れるための差込穴１１が穿設され、さらに、差込穴１１の上面に、差し込まれたヘッドレスト３０の接続部３１を固定するための固定用穴１２が間隔を置いて２つ形成されている。この様子は、図６に示した従来のものと略同様である。しかし本実施例では、差込穴１１の先端の上面が符合１３を付して示すように切欠されている。従って、図５（ａ）から明らかなように、切欠部１３の左端と架台４の端面との間が、ヘッドレスト３０の全長よりも長い寸法となる。なお、この切欠部１３は、ヘッドレスト３０の接続部３１の幅の狭い先端部３１１には干渉せず、幅の広い部分３１２には干渉する大きさに形成されている。
【００４２】
従って、このような実施例２によれば、ヘッドレスト３０の全長が天板１０と架台４との間の寸法より長くても、切欠部１３の分だけ天板１０と架台４との間隔を広くすることができるので、ヘッドレスト３０を天板１０に取り付ける場合は、ヘッドレスト３０を天板１０と架台４との間の上方から下ろすようにして、ヘッドレスト３０の接続部３１の幅の狭い先端部３１１を、天板１０の切欠部１３に嵌合させる。
【００４３】
その後接続部３１を差込穴１１へ水平に移動させることによって、図５（ｂ）に示すように、幅の広い部分３１２に形成された板バネ３３の突起３４１、３４２が、差込穴１１に形成されている２つの固定用穴１２にそれぞれ係合され固定される。このとき、接続部３１の幅の広い部分３１２は切欠部１３の両側に係合しているので、必要な強度は保たれる。ただし、接続部３１の強度をより高める必要がある場合は、接続部３１の両側壁の厚みを上下面よりも厚く形成しておけば良い。
【００４４】
そして、ヘッドレスト３０を天板１０から取り外す場合は、切欠部１３の位置に露出している接続部３１の幅の広い部分３１２に形成されている板バネ３３（図示せず）を、作業者が手の指で押す。これによって板バネ３３の突起３４１、３４２と差込穴１１に形成されている２つの固定用穴１２との係合が解かれる。次に、ヘッドレスト３０を架台４側へ水平に引き出し、幅の狭い先端部３１１が切欠部１３の位置にくればヘッドレスト３０は天板１０に対してフリーとなるので、ヘッドレスト３０を若干持ち上げるだけで天板１０から取り外すことができる。
【００４５】
このように、本実施例によれば、接続部３１全体の長さを変えずにその幅が差込穴１１と干渉する部分を短くしたことにより、従来よりも短いストロークでヘッドレスト３０を天板１０から取り外すことができる。そのため、天板１０の高さを被検者が乗り降りし易い低い位置にした状態で、ヘッドレスト３０の交換作業などを行うことができるので、作業者の負担を軽減することができる。なお、切欠部１３は、差込穴１１の下面に形成しておいてもよいし、上面と下面の両方に形成してあってもよい。このようにすれば、ヘッドレスト３０を天板１０の上方または下方のいずれからでも交換することが可能となる。
【００４６】
以上詳述したように本発明によれば、画像診断装置用寝台装置の天板へのアタッチメントの取り付け、取り外しなどの交換作業を、手が小さく力の弱い作業者でも容易に実施することができる。同時に、寝台装置の高さ位置に関わらずどの位置ででも、アタッチメントの交換作業を実施することができる。また、アタッチメントは、ヘッドレストに限らずアームレストなど種々のものであって良い。
【図面の簡単な説明】
【００４７】
【図１】本発明に係る画像診断装置用寝台装置において、天板に取り付けられるヘッドレストの平面図である。（実施例１）
【図２】本発明の他の実施態様を説明するために示したヘッドレストの部分的な平面図および断面図である。
【図３】本発明の他の実施態様を説明するために示したヘッドレストの部分的な平面図である。
【図４】本発明のさらに他の実施態様を説明するために示したヘッドレストの部分的な平面図である。
【図５】本発明に係る画像診断装置用寝台装置における、アタッチメント取り付け機構の他の実施例を示した説明図である。（実施例２）
【図６】画像診断装置用寝台装置における従来のアタッチメントの取り付け機構を説明するために示した斜視図である。
【図７】従来のアタッチメントの取り付け機構の問題点を説明するために示した画像診断装置の説明図である。
【符号の説明】
【００４８】
１  天板
１ａ  差込穴
１ｂ  固定用穴
２  寝台装置
１０  天板
１１  差込穴
１２  固定用穴
１３  切欠部
３０  ヘッドレスト
３１  接続部
３２  載部
３３  板バネ
３４１  突起
３４２  突起
【図１】
0005161615.tif 000002
【図２】
0005161615.tif 000003
【図３】
0005161615.tif 000004
【図４】
0005161615.tif 000005
【図５】
0005161615.tif 000006
【図６】
0005161615.tif 000007
【図７】
0005161615.tif 000008